(57)【要約】【課題】  フロント部の両側に蝶番を介して折畳み出来るように取付けたツルが、メガネを掛ける際に開いた状態から、バネ力の作用下においてさらに外方向へ僅かに押し開くことが出来るツル連結構造であって、極めて簡単な構造で、外観的には一般のメガネフレームと変わらないツル連結構造の提供。【解決手段】  ヨロイ６の内部には空間１３を形成すると共に該空間１３に板バネ１４の基部１５を固定することで該板バネ１４の先端側を空間１３の範囲内において撓み変形可能とし、そして板バネ先端には蝶番７の一方側蝶片８ａを固定し、他方側蝶片８ｂをツル２に固定している。【選択図】    図３
2005165193.tif 000002
【特許請求の範囲】
【請求項１】
フロント部の両側に蝶番を介して折畳み出来るように取付けたツルが、メガネを掛ける際に開いた状態から、バネ力の作用下においてさらに外方向へ僅かに押し開くことが出来るツル連結構造において、ヨロイの内部には空間を形成すると共に該空間に板バネの基部を固定することで該板バネの先端側を空間の範囲内において撓み変形可能とし、そして板バネ先端には蝶番の一方側蝶片を固定し、他方側蝶片をツルに固定したことを特徴とするツル連結構造。
【請求項２】
フロント部の両側に蝶番を介して折畳み出来るように取付けたツルが、メガネを掛ける際に開いた状態から、バネ力の作用下においてさらに外方向へ僅かに押し開くことが出来るツル連結構造において、ヨロイの内部には空間を形成すると共に該空間に板バネの基部を固定することで該板バネの先端側を空間の範囲内において撓み変形可能とし、そして板バネ先端には蝶番の一方側蝶片を固定し、他方側蝶片をツルに固定し、更に互い当接するヨロイ先端面及びツル端面をツル内面に対して傾斜させたことを特徴とするツル連結構造。
【発明の詳細な説明】
【技術分野】
【０００１】
本発明はメガネフレームのツルを折畳み可能に連結すると共に、開いた状態からはバネ力が付勢されて外方向へ僅かに開くことが出来るようにしたメガネフレームのツル連結構造に関するものである。
【背景技術】
【０００２】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図４には最も基本的なバネ蝶番と称される継手構造を示している。すなわち、該バネ蝶番の基本的な考えは、ヨロイ(イ)には固定蝶片(ロ)をロウ付け固定し、他方の蝶片を摺動蝶片(ハ)として一定距離の摺動を許すことによって外方向への開きをツル(ニ)に与えることが出来る。
【０００５】
ツル(ニ)にはガイド溝が形成され、摺動蝶片(ハ)はガイド溝を案内として摺動する訳であるが、上記摺動蝶片(ハ)の内部空洞にはコイルバネ(ホ)が収まっていて、ツル(ニ)を外ヘ開く際には摺動蝶片(ハ)が固定蝶片(ロ)側へ引張られて圧縮される。該コイルバネ(ホ)は摺動蝶片(ハ)の内部空洞入口に設けられてツル(ニ)の溝穴(ヘ)に係止したツメ(ト)に当たり、該ツメ(ト)はストッパーとして機能している。その結果、コイルバネ(ホ)の復元力がツル(ニ)に作用して、該ツル(ニ)を元の位置に戻そうとする。
【０００６】
ところで、上記摺動蝶片(ハ)にコイルバネ(ホ)を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片(ハ)の内部空洞にコイルバネ(ホ)と芯金を押し込んでツメ(ト)に係止するならば、該ツメ(ト)並びにコイルバネ(ホ)を取り外すことが出来ない。
【０００７】
すなわち、ツメ(ト)は摺動蝶片(ハ)のガイドに拘束された状態でツメ(ト)の係止片(チ)が溝穴(ヘ)に嵌入し、芯金の頭(リ)はバネ力をもってツメ(ト)に当接し、係止片(チ)を溝穴(ヘ)へ押し込む力が働くことになる。したがって、このツメ(ト)を摺動蝶片(ハ)から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。上記図４に示すバネ蝶番を取付ける場合には、ツル(ニ)には摺動蝶片(ハ)が摺動するガイドを設ける必要があり、そしてコイルバネ(ホ)及び芯金を挿入し、ツメ(ト)を嵌めなくてはならず、一般的な蝶番をロウ付けして取付けるように簡単ではない。
【０００９】
又、同図に示すバネ蝶番では、コイルバネ(ホ)やツメ(ト)を収容する摺動蝶片(ハ)がツル(ニ)の内側に大きく突出した形態となり、メガネの外観が損なわれると共に重くなってしまう。近年のスリムなメガネフレーム用のバネ蝶番としては外観的にも適さない。
【特許文献１】特開２００１−２９０１０８号に係る「連結構造」
【発明の開示】
【発明が解決しようとする課題】
【００１０】
このように、従来のツル連結構造には上記のごとき問題がある。本発明が解決しようとする課題はこれら問題点であり、メガネフレームの外観を損なうことなく、しかもシンプルな構造にて構成されるツル連結構造を提供する。
【課題を解決するための手段】
【００１１】
本発明に係るメガネフレームのツル連結構造は、フロント部両側にロウ付けされるヨロイに収容した板バネに蝶番を介してツルを折畳み可能に取付けている。該ヨロイの内部には空間が形成されると共に、該空間には板バネが取付けられ、この板バネは空間の範囲内で撓み変形することが出来る。そこで、蝶番の一方蝶片は板バネの先端にロウ付けされ、他方蝶片にはツルがロウ付けされる。
【００１２】
ヨロイ先端とツル端は隙間なく互いに接していて、外観上は一般のメガネフレームであるが、ツルを開いた状態から上記ヨロイに形成している空間の範囲内で板バネが撓み変形して、僅かに外方向へ押し開くことが可能となる。ここで、上記板バネの基部はヨロイ空間底に嵌ってネジ止め等にて固定される。
【発明の効果】
【００１３】
本発明のツル連結構造は、ヨロイに設けた板バネの先端に取着した蝶番を介してツルが取付けられている。従って、蝶番を介してツルは折畳まれ、一方では板バネの撓み変形によって外方向へ押し開くことが可能と成り、バネ蝶番としての機能を備えることが出来る。
【００１４】
そして本発明のツル連結構造は、板バネの先端に取着した蝶番を介してツルを連結すると言った極めてシンプルな構造であり、従来のバネ蝶番に比較してその製作は簡単となり、コストも安くなる。一方、板バネはヨロイに形成した空間に収容される為に、該板バネが外部に表面化することはなく、外観上は一般のツル連結構造と同じであり、メガネフレームの外観が損なわれることはなく、スリムなメガネフレームを構成することが出来る。
【実施例】
【００１５】
図１は本発明のツル連結構造を備えているメガネフレームを示している。同図の１はフロント部、２はツルを示し、フロント部１は両リム３，３が連結部材４にて連結されると共に、リム３，３の外側にはヨロイ６，６がロウ付けされて構成している。又、リム３，３の内側であって連結部材４の下方には鼻当てパット５，５が取付けられている。そしてヨロイ６，６にはツル２，２が蝶番７，７を介して折畳み出来るように取付けられている。
【００１６】
このように、メガネフレームの外観は従来のものと何ら異なることはなく、バネ蝶番の機能が備わっているようには見えない。本発明のツル連結構造は外観を異ならしめることなくバネ蝶番としての機能を備えることが出来る。
【００１７】
図２はツル２がヨロイ６に蝶番７を介して連結されている場合の拡大図を示し、(ａ)は平面図、(ｂ)は(ａ)のＡ矢視図である。同図はツル２が開いた状態であるが、蝶番７を介して折畳むことが出来る。蝶番７は蝶片８ａ，８ｂが軸ネジ９にて連結され、一方の蝶片８ａはヨロイ側に固定され、他方の蝶片８ｂはツル側に固定されている。
【００１８】
ヨロイ６の先端面１０にツル２の端面１１が当接しているが、ツル内面１２に対して垂直ではなく、傾斜している。従って、同図に示す開いた状態からツル２を外方向へ僅かに押し開くことが出来、この際にヨロイ６の先端面１０に干渉することなく開くことが可能と成る。
【００１９】
図３(ａ)、(ｂ)はツル連結構造を示す実施例であり、ヨロイ６の断面を示している。ヨロイ６には内部空間１３が形成され、この空間１３には板バネ１４が取付けられている。該板バネ１４はその基部１５がネジ止めされて先端１６は撓み変形可能と成っていて、先端１６には蝶番７の一方側蝶片８ａがロウ付けされている。
【００２０】
板バネ１４の先端１６はヨロイ６の内部に形成している空間１３の範囲内で撓むことが出来、従ってツル２に外方向への力が作用するならば、板バネ１４は撓み変形し、基部１５のネジ１７を基点としてツル２は旋回し、外方向へ押し開かれる。(ｂ)は板バネ１４が撓み変形してツル２が外方向へ押し開かれた状態を示している。
【００２１】
ツル２には板バネ１４にてバネ力が作用し、メガネを顔から外したり、押し開いたツル２から手を放すならば、元の位置である(ａ)に示す状態に戻ることができる。そして、(ａ)の状態からツル２を折畳むことが出来る。
【図面の簡単な説明】
【００２２】
【図１】メガネフレームの平面図。
【図２】ヨロイ先端に蝶番を介して取付けられるツル。
【図３】本発明に係るツル連結構造を示す実施例であり、(ａ)はツルが開いた状態、(ｂ)はツルを外方向へ押し開いた状態。
【図４】従来のバネ蝶番。
【符号の説明】
【００２３】
１  フロント部
２  ツル
３  リム
４  連結部材
５  鼻当てパット
６  ヨロイ
７  蝶番
８  蝶片
９  軸ネジ
10  先端面
11  端面
12  内面
13  空間
14  板バネ
15  基部
16  先端
17  ネジ
【図１】
2005165193.tif 000003
【図２】
2005165193.tif 000004
【図３】
2005165193.tif 000005
【図４】
2005165193.tif 000006